(57)【要約】      （修正有）【課題】外部から画像が入力されて複数の画像が共存する、あるいは手書き文字等を重畳して表示した場合であっても、ディスプレイの視認性低下を抑制できる情報処理装置を提供する。【解決手段】表示装置３（ディスプレイ）に画像を表示する情報処理装置（電子黒板）２であって、表示中の第一画像とは異なる第二画像の表示要求を検出する表示要求検出手段１０１と、外部から第二画像の画像信号を取得する画像取得手段１１３と、表示要求検出手段が表示要求を検出した場合、画像信号を用いて形成された第二画像を第一画像に重畳して表示する重畳表示手段と、第二画像が重畳して表示される場合、少なくとも第一画像の色やコントラスト等の表示態様を変更する表示態様変更手段とを有する。【選択図】図２
2016208394.tif 000002
【特許請求の範囲】
【請求項１】
表示装置に画像を表示する情報処理装置であって、
前記表示装置に対する前記画像とは異なる第二画像の表示要求を検出する表示要求検出手段と、
外部から前記第二画像の画像信号を取得する画像取得手段と、
前記表示要求検出手段が前記表示要求を検出した場合、前記画像信号を用いて形成された前記第二画像を前記画像に重畳して表示させる重畳表示手段と、
前記画像に前記第二画像が重畳して表示される場合、少なくとも前記画像の表示態様を変更する表示態様変更手段と、を有する情報処理装置。
【請求項２】
前記表示態様変更手段は、前記画像に前記第二画像が重畳して表示されることで前記画像に生じる情報欠落を抑制する前記表示態様に変更し、
前記重畳表示手段は変更された前記表示態様で前記画像を表示する請求項１に記載の情報処理装置。
【請求項３】
前記表示態様変更手段は、前記表示装置の色空間の変更により生じる前記情報欠落を抑制する前記表示態様に変更し、
前記重畳表示手段は変更された前記表示態様で前記画像を表示する請求項２に記載の情報処理装置。
【請求項４】
前記表示態様変更手段は、前記画像に前記第二画像が重畳して表示される場合、前記画像のみが前記表示装置に表示されていた場合の第一コントラスト値と異なる第二コントラスト値を前記表示装置に設定し、
前記重畳表示手段は、前記第二コントラスト値が設定された前記表示装置において前記画像に前記第二画像を重畳して表示させる請求項１〜３いずれか１項に記載の情報処理装置。
【請求項５】
前記表示態様変更手段は、前記画像に前記第二画像が重畳して表示される場合、前記画像の濃度、太さ、及び、色の少なくとも１つを前記画像のみが前記表示装置に表示されていた場合の第一値とは異なる第二値に設定し、
前記重畳表示手段は、前記第二値で生成された前記画像に前記第二画像を重畳して前記表示装置に表示させる請求項１〜４いずれか１項に記載の情報処理装置。
【請求項６】
前記表示態様変更手段は、前記表示要求検出手段が前記表示要求を検出した場合、変数が保持する値に応じて、前記画像のみが前記表示装置に表示されていた際の前記表示態様で前記画像を表示するか、又は、前記画像に前記第二画像が重畳して表示される際の前記表示態様で前記画像を表示するかを切り替える請求項１〜５いずれか１項に記載の情報処理装置。
【請求項７】
前記表示態様変更手段は、前記画像に前記第二画像が重畳して表示される前記表示態様に切り替える場合、前記画像のみが前記表示装置に表示されていた際の前記表示態様を待避しておき、
前記画像のみが前記表示装置に表示されている前記表示態様に切り替える場合、待避しておいた前記表示態様を取得し、
前記重畳表示手段は、取得した前記表示態様で前記画像を前記表示装置に表示させる請求項６に記載の情報処理装置。
【請求項８】
前記表示要求検出手段は、前記情報処理装置に配置された操作受付部への操作に基づき前記表示装置への前記第二画像の前記表示要求を検出する請求項１〜７いずれか１項に記載の情報処理装置。
【請求項９】
前記表示装置の表示面に対する手書き位置を検出し、前記手書き位置を連結して生成されたストローク画像を生成するストローク画像生成手段を有し、
前記画像は、前記手書き位置の目安とされる線又は点が描画されたものであり、
前記表示態様変更手段は、前記画像に前記第二画像が重畳して表示される場合、前記線又は前記点の視認性の低下を抑制する前記表示態様に変更する請求項１〜８いずれか１項に記載の情報処理装置。
【請求項１０】
表示装置に画像を表示する情報処理装置が行う画像表示方法であって、
表示要求検出手段が、前記表示装置に対する前記画像とは異なる第二画像の表示要求を検出するステップと、
画像取得手段が、外部から前記第二画像の画像信号を取得するステップと、
重畳表示手段が、前記表示要求検出手段が前記表示要求を検出した場合、前記画像信号を用いて形成された前記第二画像を前記画像に重畳して表示させるステップと、
表示態様変更手段が、前記画像に前記第二画像が重畳して表示される場合、少なくとも前記画像の表示態様を変更するステップと、
を有する画像表示方法。
【発明の詳細な説明】
【技術分野】
【０００１】
本発明は、情報処理装置及び画像表示方法に関する。
【背景技術】
【０００２】
ディスプレイの表示面に手書きされた手書き情報を取り込みディスプレイに表示する機能を備えた電子黒板が知られている。ユーザが電子黒板の表示面に手書きした内容は座標データとして蓄積され、電子黒板が座標を連結したストロークとしてディスプレイに描画する。したがって、ユーザは従来のホワイトボードと同様に文字や図形などを描画でき、さらに手書きした情報を保存したり、ネットワークを介して接続された他の電子黒板に送信したりすることが可能である。
【０００３】
ところで、電子黒板が備えるディスプレイも一般的なディスプレイと同様に、コントラスト及び色温度等の映像設定を見やすい状態にユーザが調整することが可能である。しかしながら、例えばユーザが設定したコントラストなどの映像設定が適切であるとは限らない。ユーザによる適切でない調整を防ぐため、映像設定の初期値をディスプレイが予め記憶しておき、ユーザ操作に応じて映像設定を初期値に戻す技術が考案されている（例えば、特許文献１参照。）。特許文献１には、キーの長押し操作が検出された場合にコントラストの設定を初期値に戻すコントラスト調整装置が開示されている。
【発明の概要】
【発明が解決しようとする課題】
【０００４】
しかしながら、特許文献１のコントラスト調整装置は、ユーザが意図しない見え方の変化に対応できないという問題がある。以下、この問題について説明する。
【０００５】
まず、電子黒板が画像入力用のインタフェースを備えている場合がある。電子黒板に接続された画像入力装置が電子黒板に入力した映像を電子黒板はディスプレイに表示する。しかしながら、電子黒板のメモリに画像入力装置の映像も記憶されることになるため、このメモリの容量が圧迫されてしまう。この場合、電子黒板は限られたメモリの容量で、手書き情報及び画像入力装置が入力した映像を表示するために、ディスプレイの色空間を変更する。例えば、色空間をＹＵＶ４４４からＹＵＶ４２２に変更することで、１ピクセルの描画に必要なデータを低減でき、限られたメモリの容量で手書き情報及び画像入力装置が入力した映像をディスプレイに表示できる。
【０００６】
しかしながら、色空間が変更されると、ユーザが映像設定を変更しなくても、ユーザから見るとコントラスト（最大の輝度／最小の輝度）の設定が変更されたかのような変化がディスプレイに生じる。この結果、ユーザが意図しないのに薄い色で描画されたグリッド線や小さい点が見えにくくなるという問題が生じる。
【０００７】
本発明は、上記課題に鑑み、外部から画像が入力されてもディスプレイの視認性の低下を抑制できる情報処理装置を提供することを目的とする。
【課題を解決するための手段】
【０００８】
上記課題に鑑み、本発明は、表示装置に画像を表示する情報処理装置であって、前記表示装置に対する前記画像とは異なる第二画像の表示要求を検出する表示要求検出手段と、外部から前記第二画像の画像信号を取得する画像取得手段と、前記表示要求検出手段が前記表示要求を検出した場合、前記画像信号を用いて形成された前記第二画像を前記画像に重畳して重畳表示手段と、前記画像に前記第二画像が重畳して表示される場合、少なくとも前記画像の表示態様を変更する表示態様変更手段と、を有する。
【発明の効果】
【０００９】
外部から画像が入力されてもディスプレイの視認性の低下を抑制できる情報処理装置を提供することができる。
【図面の簡単な説明】
【００１０】
【図１】本実施形態の画像処理システムの全体構成図の一例である。
【図２】電子黒板のハードウェア構成図の一例である。
【図３】電子黒板の機能ブロック図の一例である。
【図４】ファイル処理部の機能ブロック図の一例である。
【図５】クライアント部とサーバ部の機能ブロック図の一例である。
【図６】ページデータを示す概念図の一例である。
【図７】ストローク配列データを示す概念図の一例である。
【図８】座標配列データを示す概念図の一例である。
【図９】メディアデータを示す概念図の一例である。
【図１０】遠隔ライセンス管理テーブルを示す概念図の一例である。
【図１１】アドレス帳管理テーブルを示す概念図の一例である。
【図１２】バックアップデータを示す概念図の一例である。
【図１３】接続先管理テーブルを示す概念図の一例である。
【図１４】参加拠点管理テーブルを示す概念図の一例である。
【図１５】操作データを示す概念図の一例である。
【図１６】各画像レイヤの重畳関係を模式的に示す図の一例である。
【図１７】各電子黒板の処理を示したシーケンス図の一例である。
【図１８】各電子黒板の処理を示したシーケンス図の一例である。
【図１９】ディスプレイに表示されるサブウィンドウを説明する図の一例である。
【図２０】テレビ会議端末により表示される画像について説明する図の一例である。
【図２１】コントラスト値の切り替え手順を示すフローチャート図の一例である。
【図２２】電子黒板２の機能ブロック図の一例である（実施例２）。
【図２３】濃度値の切り替え手順を示すフローチャート図の一例である。
【発明を実施するための形態】
【００１１】
以下、図面を用いて、本発明の一実施形態を説明する。
【００１２】
＜システムの概要＞
図１は、本実施形態の画像処理システムの全体構成図である。なお、図１では、説明を簡略化するために、２台の電子黒板２ａ，２ｂ及びこれに付随する電子ペン４ａ，４ｂ等を示しているだけであって、３台以上の電子黒板や電子ペン等を利用してもよい。
【００１３】
図１に示されているように、画像処理システム１は、複数の電子黒板２ａ，２ｂ、複数の電子ペン４ａ，４ｂ、ＵＳＢメモリ５ａ，５ｂ、ノートＰＣ(Personal Computer)６ａ，６ｂ、テレビ（ビデオ）会議端末７ａ，７ｂ、及びＰＣ８を有する。また、電子黒板２ａ，２ｂ、及びＰＣ８は、通信ネットワーク９を介して通信可能に接続されている。更に、複数の電子黒板２ａ，２ｂには、それぞれディスプレイ３ａ，３ｂ（液晶、有機ＥＬ、プロジェクタ、プラズマテレビなどの表示装置）が設けられている。
【００１４】
また、電子黒板２ａには、電子ペン４ａによって生じたイベント（ディスプレイ３ａに電子ペン４ａのペン先、又は、電子ペン４ａのペン尻のタッチ）により描画された画像を、ディスプレイ３ａに表示させることができる。なお、電子ペン４ａだけでなく、ユーザの手Ｈａ等によって生じたイベント（拡大、縮小、ページめくり等のジェスチャ）に基づいて、ディスプレイ３ａ上に表示されている画像を変更させることもできる。
【００１５】
また、電子黒板２ａには、ＵＳＢメモリ５ａが接続可能であり、電子黒板２ａはＵＳＢメモリ５ａからＰＤＦ等の電子ファイルを読み出したり、電子黒板２ａはＵＳＢメモリ５ａに電子ファイルを記録することができる。また、電子黒板２ａには、DisplayPort、DVI(Digital Visual Interface)、HDMI（登録商標）(High-Definition Multimedia Interface)及びVGA(Video Graphics Array)等の規格による通信が可能なケーブル１０ａ１を介して、ノートＰＣ６ａが接続されている。そして、電子黒板２ａは、ディスプレイ３ａに対する接触によってイベントを発生させ、このイベントを示すイベント情報を、マウスやキーボード等の入力装置からのイベントと同様に、ノートＰＣ６ａに送信する。同じく、電子黒板２ａには、上記規格による通信が可能なケーブル１０ａ２を介して、テレビ（ビデオ）会議端末７ａが接続されている。なお、ノートＰＣ６ａ、及びテレビ会議端末７ａは、Bluetooth（登録商標）等の各種無線通信プロトコルに準拠した無線通信により、電子黒板２ａと通信してもよい。
【００１６】
一方、電子黒板２ｂが設置されている他の拠点では、上記と同様に、ディスプレイ３ｂを備えた電子黒板２ｂ、電子ペン４ｂ、ＵＳＢメモリ５ｂ、ノートＰＣ６ｂ、テレビ会議端末７ｂ、ケーブル１０ｂ１、ケーブル１０ｂ２が利用される。更に、ユーザの手Ｈｂ等によって生じたイベントに基づいて、ディスプレイ３ｂ上に表示されている画像を変更させることもできる。
【００１７】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、画像処理システム１では、遠隔地において同じ画像を共有する遠隔共有処理を行うことができるため、遠隔地での会議等に用いると、非常に便利である。
【００１８】
なお、以下では、複数の電子黒板のうち任意の電子黒板を示す場合には「電子黒板２」と示す。複数のディスプレイのうち任意のディスプレイを示す場合には「ディスプレイ３」と示す。複数の電子ペンのうち任意の電子ペンを示す場合には「電子ペン４」と示す。複数のＵＳＢメモリのうち任意のＵＳＢメモリを示す場合には「ＵＳＢメモリ５」と示す。複数のノートＰＣのうち任意のノートＰＣを示す場合には「ノートＰＣ６」と示す。複数のテレビ会議端末のうち任意のテレビ会議端末を示す場合には「テレビ会議端末７」と示す。また、複数のユーザの手のうち任意の手を示す場合には「手Ｈ」と示す。複数のケーブルのうち任意のケーブルを示す場合には「ケーブル１０」と示す。
【００１９】
また、本実施形態では、画像処理装置の一例として、電子黒板を説明するが、これに限るものではなく、画像処理装置の他の例として、電子看板（デジタルサイネージ）、スポーツや天気予報等で利用されるテレストレータ、又は、遠隔画像（映像）診断装置等であってもよい。また、情報処理端末の一例として、ノートＰＣ６を説明するが、これに限るものではなく、情報処理端末の他の例として、デスクトップ型ＰＣやタブレット型ＰＣ、ＰＤＡ、デジタルビデオカメラ、デジタルカメラ、ゲーム機等の画像フレームを供給可能な端末であってもよい。更に、通信ネットワークには、インターネット、ＬＡＮ(Local Area Network)、携帯電話通信網等が含まれる。また、本実施形態では、記録媒体の一例として、ＵＳＢメモリを説明するが、これに限るものではなく、記録媒体の他の例として、ＳＤカード等の各種記録メディアであってもよい。
【００２０】
＜電子黒板のハードウェア構成＞
続いて、図２を用いて、本実施形態の電子黒板のハードウェア構成を説明する。なお、図２は、電子黒板のハードウェア構成図である。
【００２１】
図２に示されているように、電子黒板２は、電子黒板２全体の動作を制御するＣＰＵ１０１、ＩＰＬ等のＣＰＵ１０１の駆動に用いられるプログラムを記憶したＲＯＭ１０２、ＣＰＵ１０１のワークエリアとして使用されるＲＡＭ１０３、電子黒板２用のプログラム等の各種データを記憶するＳＳＤ１０４、通信ネットワーク９との通信を制御するネットワークコントローラ１０５、及び、ＵＳＢメモリ５との通信を制御する外部記憶コントローラ１０６を備えている。したがって、電子黒板２は情報処理装置としての構成を有する。
【００２２】
また、電子黒板２は、ノートＰＣ６のディスプレイに対して映像情報を静止画または動画として表示させるキャプチャデバイス１１１、グラフィクスを専門に扱うＧＰＵ(Graphics Processing Unit)１１２、及び、ＧＰＵからの出力画像をディスプレイ３やテレビ会議端末７へ出力するために画面表示の制御及び管理を行うディスプレイコントローラ１１３を備えている。
【００２３】
更に、電子黒板２は、接触センサ１１５の処理を制御するセンサコントローラ１１４、ディスプレイ３の表示面に電子ペン４やユーザの手Ｈ等が接触したことを検知する接触センサ１１５を備えている。この接触センサ１１５は、赤外線遮断方式による座標の入力及び座標の検出を行う。この座標の入力及び座標の検出する方法は、ディスプレイ３の上側両端部に設置された２つ受発光装置が、ディスプレイ３に平行な複数の赤外線を放射する。ディスプレイ３の周囲に設けられた反射部材によって反射された赤外線は、放射した光の光路と同一の光路上を戻って来るので、受光素子がそれを受光する。接触センサ１１５は、物体によって遮断された２つの受発光装置が放射した赤外線のＩＤ(Identification)をセンサコントローラ１１４に出力し、センサコントローラ１１４が、物体の接触位置である座標位置を特定する。なお、以下に示す全ての各ＩＤは、識別情報の一例である。
【００２４】
また、接触センサ１１５としては、赤外線遮断方式に限らず、静電容量の変化を検知することにより接触位置を特定する静電容量方式のタッチパネル、対向する２の抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００２５】
また、電子黒板２は、電子ペンコントローラ１１６を備えている。この電子ペンコントローラ１１６は、電子ペン４と通信することで、ディスプレイ３へのペン先のタッチやペン尻のタッチの有無を判断する。なお、電子ペンコントローラ１１６が、電子ペン４のペン先及びペン尻だけでなく、電子ペン４のユーザが握る部分や、その他の電子ペンの部分のタッチの有無を判断するようにしてもよい。
【００２６】
更に、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４、及び電子ペンコントローラ１１６を、図２に示されているように電気的に接続するためのアドレスバスやデータバス等のバスライン１２０を備えている。
【００２７】
なお、電子黒板２用のプログラムは、ＣＤ−ＲＯＭ等のコンピュータで読み取り可能な記録媒体に記録して流通させるようにしてもよい。
【００２８】
＜電子黒板の機能構成＞
続いて、図３乃至図１６を用いて、電子黒板の機能構成について説明する。まず、図３を用いて、電子黒板２の全体的な機能構成について説明する。図３は、電子黒板２の機能ブロック図である。
【００２９】
電子黒板２は、図２に示されているハードウェア構成及びプログラムによって、図３に示されている各機能構成を有する。電子黒板２は、最初に遠隔共有処理を開始する「主催装置」となり得ると共に、既に開始されている遠隔共有処理に後から参加する「参加装置」にもなり得る。また、電子黒板２は、大きく分けて、クライアント部２０及びサーバ部９０を有している。クライアント部２０及びサーバ部９０は、電子黒板２の１台の筐体内で実現される機能である。そして、電子黒板２が主催装置となる場合には、この電子黒板２では、クライアント部２０とサーバ部９０が実現される。また、電子黒板２が参加装置となる場合には、この電子黒板２では、クライアント部２０は実現されるが、サーバ部９０は実現されない。すなわち、図１において、電子黒板２ａが主催装置で、電子黒板２ｂが参加装置となる場合、電子黒板２ａのクライアント部２０は、同じ電子黒板２ａ内に実現されたサーバ部９０を介して、他の電子黒板２ｂのクライアント部２０と通信を行う。一方、電子黒板２ｂのクライアント部２０は、他の電子黒板２ａ内に実現されたサーバ部９０を介して、他の電子黒板２ａのクライアント部と通信を行う。
【００３０】
〔クライアント部２０の機能構成〕
続いて、主に図３乃至図５を用いて、クライアント部２０の機能構成について説明する。クライアント部２０は、映像取得部２１、座標検知部２２、自動調整部２３、接触検知部２４、イベント振分部２５、操作処理部２６、ジェスチャ処理部２７、映像重畳部２８、画像処理部３０、及び通信制御部６０を有する。
【００３１】
このうち、映像取得部２１は、ケーブル１０に接続されたノートＰＣ６等の映像出力機器の出力映像を取得する。映像取得部２１は、映像出力機器から画像信号を受信すると、この画像信号を解析して、この画像信号によって形成される映像出力機器の表示画像である画像フレームの解像度や、この画像フレームの更新頻度などの画像情報を導出し、画像取得部３１に出力する。
【００３２】
座標検知部２２は、ディスプレイ３上でユーザによって生じたイベント（ディスプレイ３上にユーザの手Ｈがタッチされた動作等）の座標位置を検出する。また、座標検知部２２は、タッチされた面積も検出する。
【００３３】
自動調整部２３は、電子黒板２の起動時に起動され、接触センサ１１５が座標検知部２２に適切な値を出力できるように、接触センサ１１５の光センサ方式におけるセンサーカメラの画像処理のパラメータを調整する。
【００３４】
接触検知部２４は、ユーザが電子ペン４を操作することで生じたイベント（ディスプレイ３上に電子ペン４のペン先又は電子ペン４のペン尻が押下（タッチ）された動作等）を検出する。
【００３５】
イベント振分部２５は、座標検知部２２によって検知されたイベントの座標位置と接触検知部２４によって検出された検出結果を、ストローク描画、ＵＩ操作、及びジェスチャ操作の各イベントに振り分ける。
【００３６】
ここで、「ストローク描画」は、図１６に示されている後述のストローク画像（Ｂ）がディスプレイ３に表示されている場合に、ユーザがディスプレイ３上で電子ペン４を押下し、この押下した状態で電子ペン４を移動させ、最終的にディスプレイ３上から電子ペン４を離すまでのイベントである。このストローク描画により、例えば、アルファベット「Ｓ」や「Ｔ」等がディスプレイ３上に描画される。なお、この「ストローク描画」には、画像を描画するだけでなく、既に描画された画像を削除したり、描画された画像を編集するイベントも含まれる。
【００３７】
「ＵＩ操作」は、図１６に示されている後述のＵＩ画像（Ａ）がディスプレイ３に表示されている場合に、ユーザが電子ペン４又は手Ｈによって所定の位置を押下したイベントである。このＵＩ操作により、例えば、電子ペン４により描画される線の色や幅等が設定される。
【００３８】
「ジェスチャ操作」は、ディスプレイ３上に図１６に示されている後述のストローク画像（Ｂ）が表示されている場合に、ユーザが手Ｈでディスプレイ３上をタッチしたり移動させるイベントである。このジェスチャ操作により、例えば、ユーザがディスプレイ３に手Ｈをタッチさせた状態で手Ｈを移動させることで、画像の拡大（若しくは縮小）、表示領域の変更、又は、ページ切り換え等を行うことができる。
【００３９】
操作処理部２６は、イベント振分部２５によってＵＩ操作と判断されたものから、イベントが発生されたＵＩの要素に従って、各種操作を実行する。このＵＩの要素としては、例えば、ボタン、リスト、チェックボックス、テキストボックスが挙げられる。
【００４０】
ジェスチャ処理部２７は、イベント振分部２５によってジェスチャ操作と判断されたものに対応した操作を実行する。
【００４１】
映像重畳部２８は、後述の表示重畳部３６で重畳された画像を映像として映像出力機器（ディスプレイ３等）に対して表示する。また、映像重畳部２８は、映像出力機器（ノートＰＣ６等）からの映像に対して、他の映像出力機器（テレビ会議端末７等）から送られて来た映像をピクチャ・イン・ピクチャする。更に、映像重畳部２８は、ピクチャ・イン・ピクチャされてディスプレイ３の一部に表示された映像を、ディスプレイ３の全体に表示させるための切り替えを行う。
【００４２】
画像処理部３０は、図１６に示されているような各画像レイヤの重畳処理等を行う。この画像処理部３０は、画像取得部３１、ストローク処理部３２、ＵＩ画像生成部３３、背景生成部３４、レイアウト管理部３５、表示重畳部３６、ページ処理部３７、ファイル処理部４０、ページデータ記憶部３００、及び遠隔ライセンス管理テーブル３１０を有している。
【００４３】
このうち、画像取得部３１は、映像取得部２１で取得された映像から、各フレームを画像として取得する。画像取得部３１は、この画像のデータを、ページ処理部３７に出力する。この画像は、図１６に示されている映像出力機器（ノートＰＣ６等）からの出力画像（Ｃ）に相当する。
【００４４】
ストローク処理部３２は、イベント振分部２５によって割り振られたストローク描画に係るイベントに基づいて、手Ｈや電子ペン４などの接触位置を連結してストローク画像を描画したり、描画された画像を削除したり、描画された画像を編集する。このストローク描画による画像は、図１６に示されているストローク画像（Ｂ）に相当する。また、このストローク描画に基づいた画像の描画、削除、編集の各結果は、後述の操作データとして、後述の操作データ記憶部８４０に記憶される。
【００４５】
ＵＩ画像生成部３３は、電子黒板２に予め設定されているＵＩ（ユーザインターフェース）画像を生成する。このＵＩ画像は、図１６に示されているＵＩ画像（Ａ）に相当する。
【００４６】
背景生成部３４は、ページ処理部３７がページデータ記憶部３００から読み出したページデータのうちのメディアデータを、ページ処理部３７から受信する。背景生成部３４は、この受信したメディアデータを表示重畳部３６に出力する。また、このメディアデータによる画像は、図１６に示されている背景画像（Ｄ）に相当する。背景画像（Ｄ）のパターンは、無地、グリッド表示等である。
【００４７】
レイアウト管理部３５は、表示重畳部３６に対して、画像取得部３１、ストローク処理部３２、及びＵＩ画像生成部３３（又は背景生成部３４）から出力された各画像のレイアウトを示すレイアウト情報を管理している。これにより、レイアウト管理部３５は、表示重畳部３６に対して、出力画像（Ｃ）及びストローク画像（Ｂ）を、ＵＩ画像（Ａ）及び背景画像（Ｄ）中のどの位置に表示させるか又は非表示にさせるかを指示することができる。
【００４８】
表示重畳部３６は、レイアウト管理部３５から出力されたレイアウト情報に基づき、画像取得部３１、ストローク処理部３２、及びＵＩ画像生成部３３（背景生成部３４）から出力された各画像のレイアウトを行う。
【００４９】
ページ処理部３７は、ストローク画像（Ｂ）のデータと出力画像（Ｃ）のデータを、１つのページデータにまとめてページデータ記憶部３００に記憶する。ストローク画像（Ｂ）のデータは、図６に示されているストローク配列データＩＤで示されるストローク配列データ（各ストロークデータ）として、ページデータの一部を成す。出力画像（Ｃ）のデータは、図６に示されているメディアデータＩＤで示されているメディアデータとして、ページデータの一部を成す。そして、このメディアデータは、ページデータ記憶部３００から読み出されると、背景画像（Ｄ）のデータとして取り扱われる。
【００５０】
また、ページ処理部３７は、一旦、記憶されたページデータのうちのメディアデータを、背景生成部３４を介して表示重畳部３６に送信することで、映像重畳部２８が背景画像（Ｄ）をディスプレイ３に再表示させることができる。また、ページ処理部３７は、ページデータのうちのストローク配列データ（各ストロークデータ）を、ストローク処理部３２に戻すことで、ストロークの再編集ができる状態にすることができる。更に、ページ処理部３７は、ページデータを削除したり複製することもできる。
【００５１】
すなわち、ページ処理部３７がページデータ記憶部３００にページデータを記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読みされる。そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００５２】
表示重畳部３６は、画像取得部３１からの出力画像（Ｃ）、ストローク処理部３２からのストローク画像（Ｂ）、ＵＩ画像生成部３３からのＵＩ画像（Ａ）、及び、背景生成部３４からの背景画像（Ｄ）を、レイアウト管理部３５によって指定されたレイアウトに従って重畳する。これにより、図１６に示されているように、各画像が重なってもユーザが見える順に、ＵＩ画像（Ａ）、ストローク画像（Ｂ）、出力画像（Ｃ）、及び背景画像（Ｄ）の各レイアの構成となっている。
【００５３】
また、表示重畳部３６は、図１６に示されている出力画像（Ｃ）と背景画像（Ｄ）を切り替えて、画像（Ａ）及び画像（Ｂ）に対して排他的に重畳することも可能である。例えば、当初、画像（Ａ）、画像（Ｂ）及び画像（Ｃ）が表示されている状態で、電子黒板２と映像出力機器（ノートＰＣ６等）との間のケーブル１０が抜かれた場合には、レイアウト管理部３５の指定によって、出力画像（Ｃ）を重畳対象から外し、背景画像（Ｄ）を表示させることができる。この場合に、また、表示重畳部３６は、表示の拡大、表示の縮小、表示領域の移動処理も行う。
【００５４】
遠隔ライセンス管理テーブル３１０は、遠隔共有処理を実行するために必要なライセンスデータを管理する。この遠隔ライセンス管理テーブル３１０では、図１０に示されているように、電子黒板２のプロダクトＩＤ、認証に用いられるライセンスＩＤ、及びライセンスの有効期限が関連付けて管理されている。
【００５５】
<<ページデータ>>
ページデータ記憶部３００は、図６に示されているようなページデータを記憶する。図６は、ページデータを示す概念図である。ページデータは、ディスプレイ３に表示される１ページ分のデータ（ストローク配列データ（各ストロークデータ）及びメディアデータ）である。なお、ページデータに含まれるパラメータの種類が多いため、ここでは、図６乃至９に分けて、ページデータの内容を説明する。
【００５６】
ページデータは、図６に示されているように、任意の１ページを識別するためのページデータＩＤ、このページの表示を開始した時刻を示す開示時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。なお、ページデータはファイル単位で管理されている。ストローク配列データは、後述の図１６に示されているストローク画像（Ｂ）がディスプレイ３上に表示されるためのデータである。メディアデータは、後述の１６に示されている背景画像（Ｄ）がディスプレイ３上に表示されるためのデータである。
【００５７】
このようなページデータにより、例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【００５８】
また、ストローク配列データは、図７に示されているように詳細な情報を示している。図７は、ストローク配列データを示す概念図である。図７に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。
【００５９】
更に、この座標配列データは、図８に示されているように詳細な情報を示している。図８は、座標配列データを示す概念図である。図８に示されているように、座標配列データは、ディスプレイ３上の１点（Ｘ座標値、Ｙ座標値）、この１点を通過したときのストロークの開示時刻からの差分の時刻（ｍｓ）、及び、この１点における電子ペン４の筆圧の各情報を示している。即ち、図８に示されている１点の集まりが、図７に示されている１つの座標配列データで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【００６０】
また、図６に示されているページデータのうちのメディアデータは、図９に示されているように詳細な情報を示している。図９は、メディアデータを示す概念図である。図９に示されているように、メディアデータは、図６に示されているページデータにおけるメディアデータＩＤ、メディアデータのデータ種類、ページ処理部３７からページデータ記憶部３００にページデータが記憶された記録時刻、ページデータによってディスプレイ３上に表示される画像の位置（Ｘ座標値、Ｙ座標値）及び画像のサイズ（幅、高さ）、並びにメディアデータの内容を示すデータが関連付けられて示されている。このうち、ページデータによってディスプレイ３上に表示される画像の位置は、ディスプレイ３の左上端の座標を（Ｘ座標値，Ｙ座標値）＝（０，０）とした場合に、ページデータによって表示される画像の左上端の位置を示している。
【００６１】
（ファイル処理部４０の機能構成）
続いて、図４を用いて、図３に示されているファイル処理部４０の機能構成を説明する。なお、図４は、ファイル処理部４０の機能ブロック図である。ファイル処理部４０は、リカバリ処理部４１、ファイル入力部４２ａ、ファイル出力部４２ｂ、ファイル変換部４３、ファイル送信部４４、アドレス帳入力部４５、バックアップ処理部４６、バックアップ出力部４７、設定管理部４８、設定ファイル入力部４９ａ、及び設定ファイル出力部４９ｂを有している。更に、ファイル処理部４０は、アドレス帳管理テーブル４１０、バックアップデータ記憶部４２０、設定ファイル記憶部４３０、及び接続先管理テーブル４４０を有している。
【００６２】
このうち、リカバリ処理部４１は、電子黒板２が異常終了した後に、異常終了を検知し、未保存のページデータを復旧する。例えば、正常終了の場合は、ページデータがＰＤＦファイルとしてファイル処理部４０を介してＵＳＢ５に記録されるが、電源がダウンした等の異常終了の場合は、ページデータがページデータ記憶部３００に記録されたままになっている。そのため、再び、電源オンになった際に、リカバリ処理部４１は、ページデータ記憶部３００からページデータを読み出すことで復旧させる。
【００６３】
ファイル入力部４２ａは、ＵＳＢメモリ５から、ＰＤＦファイルを読み込み、各ページをページデータとしてページデータ記憶部３００に記憶する。
【００６４】
ファイル変換部４３は、ページデータ記憶部３００に記憶されているページデータを、ＰＤＦ形式のファイルに変換する。
【００６５】
ファイル出力部４２ｂは、ファイル変換部４３によって出力されたＰＤＦファイルをＵＳＢメモリ５に記録する。
【００６６】
ファイル送信部４４は、ファイル変換部４３によって生成されたＰＤＦファイルを、電子メールに添付して送信する。このファイルの送信先は、表示重畳部３６によってディスプレイ３上にアドレス帳管理テーブル４１０の内容を表示し、ファイル送信部４４がユーザによるタッチパネル等の入力装置の操作により、宛先の選択を受け付けることによって決定される。アドレス帳管理テーブル４１０には、図１１に示されているように、宛先の名前及び宛先の電子メールのメールアドレスが関連付けて管理されている。また、ファイル送信部４４が、ユーザによるタッチパネル等の入力装置の操作により、宛先としてのメールアドレスの入力を受け付けることもできる。
【００６７】
アドレス帳入力部４５は、ＵＳＢメモリ５から電子メールアドレスの一覧ファイルを読み込み、アドレス帳管理テーブル４１０に管理する。
【００６８】
バックアップ処理部４６は、ファイル出力部４２ｂによって出力されたファイルや、ファイル送信部４４によって送信されたファイルを、バックアップデータ記憶部４２０に記憶することでバックアップする。なお、ユーザがバックアップ設定しない場合は、バックアップの処理は行われない。バックアップデータは、図１２に示されているように、ＰＤＦ形式で記憶される。
【００６９】
バックアップ出力部４７は、バックアップされたファイルをＵＳＢメモリ５に記憶する。この記憶の際には、ユーザによるタッチパネル等の入力装置の操作により、セキュリティーのためにパスワードが入力される。
【００７０】
設定管理部４８は、電子黒板２の各種設定情報を設定ファイル記憶部４３０に記憶したり読み出したりして管理する。この各種設定情報としては、例えば、ネットワーク設定、日付や時刻の設定、地域や言語の設定、メールサーバの設定、アドレス帳の設定、接続先リストの設定、バックアップに関する設定が挙げられる。なお、ネットワーク設定は、例えば、電子黒板２のＩＰアドレスの設定、ネットマスクの設定、デフォルトゲートウェイの設定、又はＤＮＳ(Domain Name System)の設定等である。
【００７１】
設定ファイル出力部４９ｂは、電子黒板２の各種設定情報を、設定ファイルとしてＵＳＢメモリ５に記録させる。なお、設定ファイルはセキュリティーによって、ユーザは中身を見ることができない。
【００７２】
設定ファイル入力部４９ａは、ＵＳＢメモリ５に記憶されている設定ファイルを読み込み、各種設定情報を電子黒板の各種設定に反映させる。
【００７３】
アドレス帳入力部５０は、ＵＳＢメモリ５から遠隔共有処理の接続先ＩＰアドレスの一覧ファイルを読み込み、接続先管理テーブル４４０に管理する。なお、図１３に示されているように、接続先管理テーブル４４０は、電子黒板２が遠隔共有処理に参加しようとする参加装置である場合、この参加装置のユーザが主催装置としての役割を果たす電子黒板のＩＰアドレスを入力する手間を削減するために、予め管理しておくためのテーブルである。この接続先管理テーブル４４０では、参加されることが可能な主催装置としての電子黒板２が設置されている拠点の名称、及び主催装置としての電子黒板２のＩＰアドレスが関連付けて管理されている。
【００７４】
なお、接続先管理テーブル４４０は、無くてもよい。但し、この場合には、参加装置のユーザは、主催装置との間で遠隔要求処理を開始するために、タッチパネル等の入力装置によって、主催装置のＩＰアドレスを入力する必要がある。そのため、参加装置のユーザは、電話や電子メール等によって、主催装置のユーザから、主催装置のＩＰアドレスを知得する。
【００７５】
（通信制御部６０の機能構成）
次に、図５を用いて、通信制御部６０の機能構成について説明する。通信制御部６０は、通信ネットワーク９を介して、他の電子黒板２と行う通信や、サーバ部９０における後述の通信制御部７０と行う通信を制御する。そのため、通信制御部６０は、遠隔開始処理部６１、遠隔参加処理部６２、遠隔画像送信部６３、遠隔画像受信部６４、遠隔操作送信部６５、遠隔操作受信部６６、及び参加拠点管理テーブル６１０を有している。
【００７６】
このうち、遠隔開始処理部６１は、同じ電子黒板２のサーバ部９０に対して、新たに遠隔共有処理を開始する要求を行い、サーバ部９０から要求の結果を受信する。この場合、遠隔開始処理部６１は、遠隔ライセンス管理テーブル３１０を参照し、ライセンス情報（プロダクトＩＤ、ライセンスＩＤ、及び有効期限）が管理されている場合には、遠隔共有処理を開始する要求を行うことができる。但し、ライセンス情報が管理されていない場合には遠隔共有処理を開始する要求を行うことができない。
【００７７】
参加拠点管理テーブル６１０は、電子黒板が主催装置である場合、現在、遠隔共有処理に参加している参加装置としての電子黒板を管理するテーブルである。この参加拠点管理テーブル６１０では、図１４に示されているように、参加中の電子黒板２が設置されている拠点の名称及び当該電子黒板２のＩＰアドレスが関連付けて管理されている。
【００７８】
遠隔参加処理部６２は、通信ネットワーク９を介して、既に遠隔共有処理を開始している主催装置としての電子黒板２のサーバ部９０における遠隔接続要求受信部７１に対して、遠隔共有処理への参加要求を行う。この場合も、遠隔参加処理部６２は、遠隔ライセンス管理テーブル３１０を参照する。また、遠隔参加処理部６２が、既に開始されている遠隔共有処理に参加する場合には、接続先管理テーブル４４０を参照して、参加先の電子黒板２のＩＰアドレスを取得する。なお、遠隔参加処理部６２によって接続先管理テーブルが参照されず、ユーザによるタッチパネル等の入力装置の操作により参加先の電子黒板２のＩＰアドレスが入力されてもよい。
【００７９】
遠隔画像送信部６３は、映像取得部２１から画像取得部３１を介して送られて来た出力画像（Ｃ）を、サーバ部９０に送信する。
【００８０】
遠隔画像受信部６４は、サーバ部９０から、他の電子黒板２に接続された映像出力機器からの画像データを受信し、表示重畳部３６に出力することで、遠隔共有処理を可能にする。
【００８１】
遠隔操作送信部６５は、遠隔共有処理に必要な各種操作データをサーバ部９０に送信する。この各種操作データとしては、例えば、ストロークの追加、ストロークの削除、ストロークの編集（拡大、縮小、移動）、ページデータの記憶、ページデータの作成、ページデータの複製、ページデータの削除、表示されているページの切り替え等に関するデータが挙げられる。また、遠隔操作受信部６６は、サーバ部９０から、他の電子黒板２で入力された操作データを受信し、画像処理部３０に出力することで、遠隔共有処理を行う。
【００８２】
〔サーバ部の機能構成〕
続いて、図５を用いて、サーバ部９０の機能構成について説明する。サーバ部９０は、各電子黒板２に設けられており、いずれの電子黒板２であっても、サーバ部９０としての役割を果たすことができる。そのため、サーバ部９０は、通信制御部７０、及びデータ管理部８０を有している。
【００８３】
（通信制御部７０の機能構成）
次に、図５を用いて、通信制御部７０の機能構成について説明する。
【００８４】
通信制御部７０は、同じ電子黒板２内のクライアント部２０における通信制御部６０、及び通信ネットワーク９を介して他の電子黒板２内のクライアント部２０における通信制御部６０との通信を制御する。データ管理部８０は、操作データや画像データ等を管理する。
【００８５】
更に詳細に説明すると、通信制御部７０は、遠隔接続要求受信部７１、遠隔接続結果送信部７２、遠隔画像受信部７３、遠隔画像送信部７４、遠隔操作受信部７５、及び遠隔操作送信部７６を有している。
【００８６】
このうち、遠隔接続要求受信部７１は、遠隔開始処理部６１からの遠隔共有処理の開始要求を受信したり、通信ネットワーク９を介して他の電子黒板２の遠隔参加処理部６２からの遠隔共有処理に対する参加要求を受信したりする。遠隔接続結果送信部７２は、遠隔開始処理部６１へ遠隔共有処理の開始要求の結果を送信したり、通信ネットワーク９を介して他の電子黒板２の遠隔参加処理部６２へ遠隔共有処理に対する参加要求の結果を送信する。
【００８７】
遠隔画像受信部７３は、遠隔画像送信部６３からの画像データ（出力画像（Ｃ）のデータ）を受信し、後述の遠隔画像処理部８２に送信する。遠隔画像送信部７４は、遠隔画像処理部８２から画像データを受信し、遠隔画像受信部６４に対して、この画像データを送信する。
【００８８】
遠隔操作受信部７５は、遠隔操作送信部６５からの操作データ（ストローク画像（Ｂ）等のデータ）を受信し、後述の遠隔操作処理部８３に送信する。遠隔操作送信部７６は、遠隔操作処理部８３から操作データを受信し、遠隔操作受信部６６に対して、この操作データを送信する。
【００８９】
（データ管理部の機能構成）
次に、図５を用いて、データ管理部８０の機能構成について説明する。
【００９０】
データ管理部８０は、遠隔接続処理部８１、遠隔画像処理部８２、遠隔操作処理部８３、操作合成処理部８４、及びページ処理部８５を有している。更に、サーバ部９０は、パスコード管理部８１０、参加拠点管理テーブル８２０、画像データ記憶部８３０、操作データ記憶部８４０、及びページデータ記憶部８５０を有している。
【００９１】
このうち、遠隔接続処理部８１は、遠隔共有処理の開始、及び遠隔共有処理の終了を行う。また、遠隔接続処理部８１は、遠隔接続要求受信部７１が、遠隔開始処理部６１から遠隔共有処理の開始要求と共に受信したライセンス情報、又は、遠隔参加処理部６２から遠隔共有処理の参加要求と共に受信したライセンス情報に基づいて、ライセンスの有無やライセンスの期間内であるかを確認する。更に、遠隔接続処理部８１は、クライアント部２０としての他の電子黒板２からの参加要求が予め定められた参加可能数を超えていないかを確認する。
【００９２】
更に、遠隔接続処理部８１は、他の電子黒板２から遠隔共有処理に対する参加要求があった際に送られて来たパスコードが、パスコード管理部８１０で管理されているパスコードと同じであるか否かを判断し、同じである場合には、遠隔共有処理の参加を許可する。なお、このパスコードは、新たに遠隔共有処理を開始する際に、遠隔接続処理部８１によって発行され、遠隔共有処理に参加しようとする参加装置としての電子黒板２のユーザが、主催装置としての電子黒板２のユーザから、電話や電子メール等により伝えられる。これにより、遠隔共有処理に参加しようとする参加装置のユーザが、タッチパネル等の入力装置によって参加装置にパスコードを入力して参加要求することで、参加が許可されることになる。なお、セキュリティーよりもユーザの使い勝手を優先して、ライセンス状況の確認だけで、パスコードの確認を省略してもよい。
【００９３】
また、電子黒板２が主催装置の場合、遠隔接続処理部８１は、参加装置の遠隔参加処理部６２から通信ネットワーク９を介して送られて来た参加要求に含まれる参加拠点情報を、サーバ部９０の参加拠点管理テーブル８２０に記憶する。そして、遠隔接続処理部８１は、参加拠点管理テーブル８２０に記憶されている遠隔拠点情報を読み出し、遠隔接続結果送信部７２に送信する。遠隔接続結果送信部７２は、同じ主催装置のクライアント部２０における遠隔開始処理部６１に遠隔拠点情報を送信する。遠隔開始処理部６１は、参加拠点管理テーブルに６１０に、遠隔拠点情報を記憶する。これにより、主催装置では、クライアント部２０及びサーバ部９０の両方で、遠隔拠点情報を管理することになる。
【００９４】
遠隔画像処理部８２は、遠隔共有処理中の各電子黒板２のクライアント部（主催装置である自己の電子黒板のクライアント部を含む）に接続された映像出力機器（ノートＰＣ６等）からの画像データ（出力画像（Ｃ））を受信して画像データ記憶部８３０に記憶すると共に、主催装置である自己の電子黒板２のサーバ部９０に届いた時間順で遠隔共有処理すべき画像データの表示順を判定する。また、遠隔画像処理部８２は、参加拠点管理テーブル８２０を参照し、遠隔共有処理に参加中の全ての電子黒板２のクライアント部２０（主催装置である自己の電子黒板のクライアント部を含む）に、通信制御部７０（遠隔画像送信部７４）を介して、上記判定した順番で画像データを送信する。
【００９５】
遠隔操作処理部８３は、遠隔共有処理中の各電子黒板２のクライアント部（主催装置である自己の電子黒板のクライアント部を含む）で描画されたストローク画像等の各種操作データ（ストローク画像（Ｂ）等）を受信し、主催装置である自己の電子黒板２のサーバ部９０に届いた時間順で遠隔共有処理すべき画像の表示順を判定する。なお、各種操作データは、上述の各種操作データと同じである。また、遠隔操作処理部８３は、参加拠点管理テーブル８２０を参照し、遠隔共有処理中の全ての電子黒板２のクライアント部２０（主催装置である自己の電子黒板のクライアント部を含む）に操作データを送信する。
【００９６】
操作合成処理部８４は、遠隔操作処理部８３から出力された各電子黒板２の操作データを合成し、この合成結果としての操作データを、操作データ記憶部８４０に記憶するとともに遠隔操作処理部８３に戻す。この操作データは、遠隔操作送信部７６から、主催装置である電子黒板のクライアント部、及び参加装置である電子黒板のクライアント部のそれぞれに送信されることで、各電子黒板２で同じ操作データに係る画像が表示される。そのために、操作データは、図１５に示されているように、SEQ(Sequence)、操作データの操作名、操作データの送信元である電子黒板２のＩＰアドレス及びクライアント部（サーバ部）のPort No.、操作データの送信先である電子黒板２のＩＰアドレス及びクライアント部（サーバ部）のPort No,、操作データの操作種類、操作データの操作対象、並びに操作データの内容を示すデータが関連付けられて示されている。例えば、SEQ1では、主催装置である電子黒板（ＩＰアドレス：192.0.0.1）のクライアント部（Port No.:50001）でストロークが描画されると、同じ主催装置である電子黒板（ＩＰアドレス：192.0.0.1）のサーバ部（Port No.:50000）に操作データが送られたことが示されている。この場合の操作種類は「STROKE」、操作対象はページデータＩＤ「p005」、及び、操作データの内容を示すデータはストロークを示すデータである。また、SEQ2では、主催装置である電子黒板（ＩＰアドレス：192.0.0.1）のサーバ部（Port No.:50000）から、参加装置である他の電子黒板（ＩＰアドレス：192.0.0.2）のクライアント部（Port No.:50001）に、操作データが送られたことが示されている。
【００９７】
なお、操作合成処理部８４は、この操作合成処理部８４に操作データが入力された順に合成を行うため、通信ネットワーク９が混雑していなければ、各電子黒板２のユーザによるストローク順に、遠隔共有処理中の全ての電子黒板２のディスプレイ３にストローク画像（Ｂ）が表示される。
【００９８】
ページ処理部８５は、クライアント部２０の画像処理部３０におけるページ処理部３７と同様の機能を有し、サーバ部９０でも、図６乃至図８に示されているページデータを、ページデータ記憶部８５０に記憶する。なお、ページデータ記憶部８５０は、画像処理部３０におけるページデータ記憶部３００と同じ内容であるため、その説明を省略する。
【００９９】
＜実施形態の処理又は動作＞
続いて、図１７及び図１８を用いて、本実施形態の処理又は動作について説明する。なお、図１７及び図１８は、各電子黒板の処理を示したシーケンス図である。
【０１００】
図１７及び図１８に示す実施形態では、電子黒板２ａが遠隔共有処理を主催する主催装置（サーバ部及びクライアント部）としての役割を果たしており、電子黒板２ｂ，２ｃが遠隔共有処理に参加する参加装置（クライアント部）としての役割を果たす場合について説明する。また、ここでは、電子黒板２ａ，２ｂ，２ｃには、それぞれディスプレイ３ａ，３ｂ，３ｃが接続され、更に、それぞれノートＰＣ６ａ，６ｂ，６ｃが接続されている。また、電子黒板２ａ，２ｂ，２ｃでは、それぞれ電子ペン４ａ，４ｂ，４ｃが使用される。
【０１０１】
（参加の処理）
まず、図１７を用いて、電子黒板２ｂ，２ｃが遠隔共有処理に参加するための処理について説明する。
【０１０２】
ユーザが電子黒板２ａの電源スイッチをオンにすると、電子黒板２ａのクライアント部２０が起動する。そして、ユーザがタッチパネル等の入力装置によってサーバ部９０を起動させる操作をすると、クライアント部２０の遠隔開始処理部６１から同じ電子黒板２ａのサーバ部９０における遠隔接続要求受信部７１に、サーバ部９０の処理を開始させる指示を出力する。これにより、電子黒板２ａでは、クライアント部２０だけでなくサーバ部９０も各種処理を開始可能となる（ステップＳ２１）。
【０１０３】
次に、電子黒板２ａのクライアント部２０におけるＵＩ画像生成部３３が電子黒板２ａとの接続を確立するための接続情報を生成し、映像重畳部２８が、ＵＩ画像生成部３３から表示重畳部３６を介して得た接続情報をディスプレイ３ａに表示させる（ステップＳ２２）。
【０１０４】
この接続情報には、主催装置のＩＰアドレス、及び今回の遠隔共有処理のために生成されたパスコードが含まれている。この場合、パスコード管理部８１０に記憶されているパスコードは、図５に示されている遠隔接続処理部８１によって読み出され、遠隔接続結果送信部７２、遠隔開始処理部６１の順に送信される。更に、パスコードは、遠隔開始処理部６１を含む通信制御部６０から、図３に示されている画像処理部３０に送信され、最終的にＵＩ画像生成部３３に入力される。これにより、接続情報には、パスコードが含まれる。そして、接続情報は、電子黒板２ａのユーザによって、電話や電子メールにより、電子黒板２ｂ，２ｃのユーザに伝えられる。なお、接続先管理テーブル４４０があれば、接続情報には、主催装置のＩＰアドレスが含まれていなくても、参加装置は参加要求を行うことができる。
【０１０５】
次に、電子黒板２ｂ，２ｃでは、各ユーザによるタッチパネル等の入力装置の操作によって接続情報の入力を受け付けると、各電子黒板２ａ，２ｂのクライアント部２０における遠隔参加処理部６２が、接続情報のＩＰアドレスに基づき、通信ネットワーク９を介して、電子黒板２ａのサーバ部９０における通信制御部７０に対してパスコードを送信して参加要求を行う（ステップＳ２３，Ｓ２４）。これにより、通信制御部７０の遠隔接続要求受信部７１は、各電子黒板２ｂ，２ｃから、参加要求（パスコードを含む）を受信し、このパスコードを遠隔接続処理部８１に出力する。
【０１０６】
次に、遠隔接続処理部８１は、各電子黒板２ｂ，２ｃから受信したパスコードに対し、パスコード管理部８１０で管理されているパスコードを用いて認証する（ステップＳ２５）。そして、遠隔接続結果送信部７２が、各電子黒板２ｂ，２ｃのクライアント部２０に認証結果を通知する（ステップＳ２６，Ｓ２７）。ステップＳ２５の認証により、各電子黒板２ｂ，２ｃが正当な電子黒板であると判断されていた場合には、主催装置である電子黒板２ａと、参加装置である電子黒板２ｂ，２ｃとの遠隔共有処理の通信が確立され、各電子黒板２ｂ，２ｃのクライアント部２０における遠隔参加処理部６２が、それぞれ他の電子黒板との間の遠隔共有処理の開始を可能にする（ステップＳ２８，Ｓ２９）。
【０１０７】
（出力画像の表示）
続いて、図１７を用いて、遠隔共有処理における出力画像（Ｃ）が表示される処理について説明する。
【０１０８】
まず、電子黒板２ｂは、ディスプレイ３ｂに出力画像（Ｃ）を表示する（ステップＳ３０）。具体的には、電子黒板２ｂの画像取得部３１が、ノートＰＣ６ｂから映像取得部２１を介して、ノートＰＣ６ｂで表示されている出力画像（Ｃ）のデータを受信し、表示重畳部３６及び映像重畳部２８を介してディスプレイ３ｂに送信することで、ディスプレイ３ｂは出力画像（Ｃ）を表示する。
【０１０９】
次に、電子黒板２ｂの画像取得部３１を含む画像処理部３０が、遠隔画像送信部６３に出力画像（Ｃ）のデータを送信することで、遠隔画像送信部６３を含む通信制御部６０が通信ネットワーク９を介して、主催装置である電子黒板２ａの通信制御部７０に出力画像（Ｃ）のデータを送信する（ステップＳ３１）。これにより、電子黒板２ａの遠隔画像受信部７３は、出力画像（Ｃ）のデータを受信し、遠隔画像処理部８２に出力することで、遠隔画像処理部８２が画像データ記憶部８３０に出力画像（Ｃ）のデータを記憶する。
【０１１０】
次に、主催装置である電子黒板２ａは、ディスプレイ３ａに出力画像（Ｃ）を表示する（ステップＳ３２）。具体的には、電子黒板２ａの遠隔画像処理部８２は、遠隔画像受信部７３から受信した出力画像（Ｃ）のデータを、遠隔画像送信部７４に出力する。遠隔画像送信部７４は、同じ主催装置である電子黒板２ａのクライアント部２０における遠隔画像受信部６４に、出力画像（Ｃ）のデータを出力する。遠隔画像受信部６４は、表示重畳部３６に出力画像（Ｃ）のデータを出力する。表示重畳部３６は、映像重畳部２８に出力画像（Ｃ）のデータを出力する。映像重畳部２８はディスプレイ３ａに出力画像（Ｃ）のデータを出力する。これにより、ディスプレイ３ａは、出力画像（Ｃ）を表示する。
【０１１１】
次に、主催装置としての電子黒板２ａのサーバ部９０における遠隔画像送信部７４を含む通信制御部７０は、通信ネットワーク９を介して、出力画像（Ｃ）のデータの送信元である電子黒板２ｂ以外の電子黒板２ｃの通信制御部６０に出力画像（Ｃ）のデータを送信する（ステップＳ３３）。これにより、参加装置である電子黒板２ｃの遠隔画像受信部６４は、出力画像（Ｃ）のデータを受信する。
【０１１２】
次に、電子黒板２ｃは、ディスプレイ３ｃに出力画像（Ｃ）を表示する（ステップＳ３４）。具体的には、電子黒板２ｃの遠隔画像受信部６４が、上記ステップＳ３３によって受信された出力画像（Ｃ）のデータを、電子黒板２ｃの表示重畳部３６に出力する。表示重畳部３６は、映像重畳部２８に出力画像（Ｃ）のデータを出力する。映像重畳部２８はディスプレイ３ｃに出力画像（Ｃ）のデータを出力する。これにより、ディスプレイ３ｃは、出力画像（Ｃ）を表示する。
【０１１３】
なお、出力画像（Ｃ）のデータだけでなく、ＵＩ画像（Ａ）、及びストローク画像（Ｂ）の各データが、映像重畳部２８に入力されている場合には、表示重畳部３６により、重畳画像（Ａ，Ｂ，Ｃ）が生成され、映像重畳部２８はディスプレイ３ｃに重畳画像（Ａ，Ｂ，Ｃ）のデータを出力する。また、テレビ会議端末７から映像重畳部２８に、テレビ会議用の映像（Ｅ）のデータが送られて来ている場合には、映像重畳部２８は、重畳画像（Ａ，Ｂ，Ｃ）にピクチャ・イン・ピクチャによりテレビ会議用の映像（Ｅ）のデータを重畳して、ディスプレイ３ｃに出力する。
【０１１４】
（重畳画像の表示）
続いて、図１８を用いて、遠隔共有処理における重畳画像が表示される処理について説明する。
【０１１５】
まず、電子黒板２ｂは、ユーザが電子ペン４ｂを用いて電子黒板２ｂにストローク画像（Ｂ）を描画する（ステップＳ４１）。
【０１１６】
次に、電子黒板２ｂの表示重畳部３６は、図１６に示されているように、ＵＩ画像（Ａ）、及び出力画像（Ｃ）に対して、ストローク画像（Ｂ）を重畳し、映像重畳部２８が電子黒板２ｂのディスプレイ３ｂ上に、重畳された重畳画像（Ａ，Ｂ，Ｃ）を表示させる（ステップＳ４２）。具体的には、電子黒板２ｂのストローク処理部３２が座標検知部２２及び接触検知部２４からイベント振分部２５を介して、操作データとしてのストローク画像（Ｂ）のデータを受信し、表示重畳部３６に送信する。これにより、表示重畳部３６は、ＵＩ画像（Ａ）、及び出力画像（Ｃ）に対して、ストローク画像（Ｂ）を重畳することができ、映像重畳部２８が電子黒板２ｂのディスプレイ３ｂ上に重畳画像（Ａ，Ｂ，Ｃ）を表示させることができる。
【０１１７】
次に、電子黒板２ｂのストローク処理部３２を含む画像処理部３０が、遠隔操作送信部６５にストローク画像（Ｂ）のデータを送信することで、電子黒板２ｂの遠隔操作送信部６５は、通信ネットワーク９を介して、主催装置である電子黒板２ａの通信制御部７０にストローク画像（Ｂ）のデータを送信する（ステップＳ４３）。これにより、電子黒板２ａの遠隔操作受信部７５は、ストローク画像（Ｂ）のデータを受信し、遠隔操作処理部８３に出力することで、遠隔操作処理部８３が操作合成処理部８４にストローク画像（Ｂ）のデータを出力する。このようにして、電子黒板２ｂで描画されたストローク画像（Ｂ）のデータは、描画される度に、主催装置である電子黒板２ａの遠隔操作処理部８３に順次送信される。このストローク画像（Ｂ）のデータは、図７に示されているストロークデータＩＤ毎に示されるデータである。よって、例えば、上述したように、ユーザが電子ペン４によってアルファベット「Ｔ」を描く場合は二筆書きとなるため、２つのストロークデータＩＤのそれぞれで示されるストローク画像（Ｂ）のデータが順次送信される。
【０１１８】
次に、主催装置である電子黒板２ａは、ディスプレイ３ａに、電子黒板２ｂから送られて来たストローク画像（Ｂ）のデータが含まれた重畳画像（Ａ，Ｂ，Ｃ）を表示する（ステップＳ４４）。具体的には、電子黒板２ａの操作合成処理部８４は、遠隔操作処理部８３を介して順次送られて来た複数のストローク画像（Ｂ）のデータを合成して、操作データ記憶部８４０に記憶するとともに遠隔操作処理部８３に戻す。これにより、遠隔操作処理部８３は、操作合成処理部８４から受信した、合成後のストローク画像（Ｂ）のデータを、遠隔操作送信部７６に出力する。遠隔操作送信部７６は、同じ主催装置である電子黒板２ａのクライアント部２０における遠隔操作受信部６６に、合成後のストローク画像（Ｂ）のデータを出力する。遠隔操作受信部６６は、画像処理部３０における表示重畳部３６に、合成後のストローク画像（Ｂ）のデータを出力する。よって、表示重畳部３６は、ＵＩ画像（Ａ）、及び出力画像（Ｃ）に対して、合成後のストローク画像（Ｂ）を重畳する。最後に、映像重畳部２８が、表示重畳部３６によって重畳された重畳画像（Ａ，Ｂ，Ｃ）をディスプレイ３ａ上に表示させる。
【０１１９】
次に、主催装置としての電子黒板２ａのサーバ部９０における遠隔操作送信部７６を含む通信制御部７０は、通信ネットワーク９を介して、ストローク画像（Ｂ）のデータの送信元である電子黒板２ｂ以外の電子黒板２ｃの通信制御部６０に、合成後のストローク画像（Ｂ）のデータを送信する（ステップＳ４５）。これにより、参加装置である電子黒板２ｃの遠隔操作受信部６６は、合成後のストローク画像（Ｂ）のデータを受信する。
【０１２０】
次に、電子黒板２ｃは、ディスプレイ３ｃに重畳画像（Ａ，Ｂ，Ｃ）を表示する（ステップＳ３４）。具体的には、電子黒板２ｃの遠隔操作受信部６６が、上記ステップＳ４５によって受信された合成後のストローク画像（Ｂ）のデータを、電子黒板２ｃの画像処理部３０に出力する。画像処理部３０の表示重畳部３６は、ＵＩ画像（Ａ）、及び出力画像（Ｃ）の各データと、合成後のストローク画像（Ｂ）のデータを重畳し、映像重畳部２８に重畳画像（Ａ，Ｂ，Ｃ）のデータを出力する。映像重畳部２８は、ディスプレイ３ｃに重畳画像（Ａ，Ｂ，Ｃ）のデータを出力する。これにより、ディスプレイ３ｃは、重畳画像（Ａ，Ｂ，Ｃ）を表示する。
【０１２１】
なお、上記処理では、ディスプレイ３上に出力画像（Ｃ）が表示されているが、この出力画像（Ｃ）に代えて、背景画像（Ｄ）を表示してもよい。また、出力画像（Ｃ）と背景画像（Ｄ）との排他的な関係をやめて、出力画像（Ｃ）と背景画像（Ｄ）との両方を同時にディスプレイ３上に表示させてもよい。
【０１２２】
（参加の終了）
続いて、図１８を用いて、参加装置が遠隔共有処理への参加を終了する処理について説明する。図１８に示す実施形態では、電子黒板２ｃが参加を終了する処理が示されている。
【０１２３】
まず、電子黒板２ｃでは、ユーザによるタッチパネル等の入力装置の操作によって参加の終了要求を受け付けると、遠隔参加処理部６２は、主催装置としての電子黒板２ａのサーバ部９０における通信制御部７０に、参加の終了要求を行う（ステップＳ４７）。これにより、通信制御部７０の遠隔接続要求受信部７１は、電子黒板２ｃから、参加の終了要求を受信し、遠隔接続処理部８１に、電子黒板２ｃのＩＰアドレスとともに参加の終了要求を出力する。そして、電子黒板２ａの遠隔接続処理部８１は、遠隔接続要求受信部７１から送られて来たＩＰアドレスに基づいて、参加拠点管理テーブル８２０から、参加の終了要求を行った電子黒板２ｃのＩＰアドレス及び電子黒板２ｃが設置されている拠点の名称を削除し、遠隔接続結果送信部７２に、電子黒板２ｃのＩＰアドレス及び削除した旨の通知を出力する。
【０１２４】
次に、遠隔接続結果送信部７２を含んだ通信制御部７０が、通信ネットワーク９を介して、電子黒板２ｃのクライアント部２０における通信制御部６０に、参加の終了を指示する（ステップＳ４８）。これにより、電子黒板２ｃにおける通信制御部６０の遠隔参加処理部６２が、遠隔共有処理の通信を切断することで参加の終了処理を行い、参加が終了する（ステップＳ４９）。
【実施例１】
【０１２５】
＜サブウィンドウの表示について＞
続いて、図１９を用いてサブウィンドウ４０１（第二画像の一例）について説明する。図１９はディスプレイ３に表示されるサブウィンドウ４０１を説明する図の一例である。図１９（ａ）はディスプレイ３と接続されたテレビ会議端末７を示す。図１９（ｂ）はディスプレイ３の側面４０３に配置されたモニターボタン４０２を示す。モニターボタン４０２はユーザが電子黒板２にサブウィンドウ４０１の表示要求を通知するための操作受付部である。
【０１２６】
図１９（ｂ）のモニターボタン４０２が押下されることで、テレビ会議端末７が表示する画像の画像信号を映像重畳部２８が取得してディスプレイ３のサブウィンドウ４０１に表示する。もう一度、ユーザがモニターボタン４０２を押下すると、サブウィンドウ４０１は非表示にされる。なお、ユーザがモニターボタン４０２を押下しなくても、ケーブル１０ａ２の接続を例えば映像重畳部２８が検出してディスプレイ３にサブウィンドウ４０１を表示してもよい。この場合、画像信号が検出されることが表示要求となる。
【０１２７】
図２０を用いて、テレビ会議端末７により表示される画像の一例を説明する。図２０では、通信管理システム５００を介してテレビ会議端末７ａとテレビ会議端末７ｂが接続されている。通信管理システム５００はテレビ会議端末７ａ、７ｂに対する呼制御を行う呼制御サーバであり、テレビ会議端末７ａとテレビ会議端末７ｂとの通信接続を行う。テレビ会議端末７ａにはディスプレイ１３０ａａが接続され、テレビ会議端末７ｂにはディスプレイ１３０ｄｂが接続されている。
【０１２８】
テレビ会議端末７ｂはユーザｄｂなどのテレビ会議端末７ｂの周囲を撮影し、撮影した画像データをテレビ会議端末７ａに送信する。テレビ会議端末７ａもユーザａａなどのテレビ会議端末７ａの周囲を撮影し、撮影した画像データをテレビ会議端末７ｂに送信する。また、テレビ会議端末７ａは自機が撮影した画像と、テレビ会議端末７ｂから受信した画像を合成して１つの画像を作成し、ディスプレイ１３０ａａに表示する。テレビ会議端末７ｂも同様である。この画像は主に動画であるが静止画でもよい。また、音声についても、テレビ会議端末７ａとテレビ会議端末７ｂとの間で送受信されている。
【０１２９】
このようにして、遠隔地のユーザａａとユーザｄｂは互いに相手の状況を確認しながらテレビ会議を行うことができる。なお、以下では、ディスプレイ１３０ａａ、１３０ｄｂを区別しない場合、「ディスプレイ１３０」と記載し、テレビ会議端末７ａと７ｂを区別しない場合、「テレビ会議端末７」と記載する。
【０１３０】
ディスプレイ１３０に表示される画像が、電子黒板２のサブウィンドウ４０１に表示される画像である。テレビ会議端末７が電子黒板２に接続されている場合、映像重畳部２８はテレビ会議端末７がディスプレイ１３０に表示している画像をサブウィンドウ４０１に表示する。ユーザはディスプレイ３を見ることで遠隔地の会議相手の状況を確認できる。なお、テレビ会議端末７をディスプレイ１３０と電子黒板２の両方に同時にユーザが接続できるかどうかはテレビ会議端末７の仕様によるものである。しかし、テレビ会議端末７が両方に接続されていても、ユーザはディスプレイ１３０を見る場合よりも少ない視線移動でディスプレイ３を見て遠隔地の会議相手の状況を確認できる。
【０１３１】
なお、電子黒板２にケーブル１０ａ２を介して接続されるものは、テレビ会議端末７に限らない。例えば、ノートＰＣ６など画像を表示する外部の装置を接続することも可能であり、ケーブル１０ａ２を介して画像を出力する装置が接続されれば、電子黒板２はサブウィンドウ４０１に画像を表示できる。
【０１３２】
<<サブウィンドウ表示時の不都合>>
しかしながら、電子黒板２がディスプレイ３にサブウィンドウ４０１を表示する場合、ディスプレイコントローラ１１３はＧＰＵ１１２が有するビデオメモリから読み出した画像データとテレビ会議端末７から受信した画像データを共にディスプレイコントローラ１１３のメモリに保持しなければならない。ディスプレイコントローラ１１３は、モニターボタン４０２が押下されたことをＣＰＵ１０１などから通知されると、予め定められたメモリの領域をテレビ会議端末７に割り当てる。この結果、表示重畳部３６が生成するＵＩ画像（Ａ）、ストローク画像（Ｂ）及び出力画像（Ｃ）が重畳された画像データ（又は、ＵＩ画像（Ａ）、ストローク画像（Ｂ）及び背景画像（Ｄ）が重畳された画像データ）を記憶するためのメモリ領域が低減される。少ないメモリ領域で画像データをディスプレイ３に表示するためディスプレイコントローラ１１３は自動的に色空間をＹＵＶ４４４からＹＵＶ４２２に変換する。
【０１３３】
ＹＵＶのＹは輝度を、ＵとＶは色差を表す。そして、ＹＵＶ４４４は１ピクセルのＹＵＶをそれぞれ８ビットの合計２４ビットで表すのに対し、ＹＵＶ４２２は１ピクセルのＹを８ビット、２ピクセルのＵとＶをそれぞれ８ビットで表す（１ピクセルを表示するのに必要な平均のビット数は１６ビット）。このため、ＹＵＶ４２２が表示可能な階調がＹＵＶ４４４よりも少なくなり、ユーザの目にはコントラストが低下したように見える。コントラストが低下するため、薄い色で描画されたガイド線、グリッド線、短い線分又は小さい点等が見えにくくなる（表示内容に情報欠落が生じる）。
【０１３４】
なお、ガイド線やグリッド線は文字などを手書きする際にユーザが水平や垂直方向の目安とする線（手書き位置を把握するための線）である。以下では、ガイド線、グリッド線、短い線分又は小さい点等が見えにくくなることを視認性が低下すると称する場合がある。
【０１３５】
また、本実施形態では、薄い色で描画されたガイド線、グリッド線、短い線分又は小さい点を、ユーザが見えにくくなる例に挙げているに過ぎず、視認性が低下する内容（手書きオブジェクト）はこれらに限られない。
【０１３６】
<<サブウィンドウの表示時の処理>>
そこで、本実施例では、ディスプレイ３の色空間が変更された場合に、以下のようにコントラストを変更することで、視認性が低下することを抑制する。コントラストを変更することは、表示態様の変更の一例である。
【０１３７】
まず、図３に示したように、背景生成部３４はコントラスト値記憶部３４ａを有している。コントラスト値記憶部３４ａには、以下のようなコントラストテーブルが記憶されている。
【０１３８】
【表１】
2016208394.tif 000003
コントラストテーブルにはサブウィンドウ４０１の有無に対応づけてコントラスト値が登録されている。サブウィンドウなしに対応づけられているコントラスト値ＡはＹＵＶ４４４の色空間でディスプレイ３の画像が明瞭に表示されるコントラスト値である。コントラスト値Ａは、電子黒板２の出荷時に予め設定されている初期値又はユーザが適切であると判断して設定した値である（第一コントラスト値）。
【０１３９】
サブウィンドウありに対応づけられているコントラスト値Ｂは、薄い色で描画されたガイド線、グリッド線、短い線分又は小さい点等がＹＵＶ４２２の色空間で明瞭に表示されるコントラスト値である（第二コントラスト値）。コントラスト値Ｂは電子黒板２の出荷時に予め設定されている。しかし、出荷後にユーザやサービスマンが調整可能でもよい。
【０１４０】
コントラスト値は大きいほど最大の輝度／最小の輝度の比が大きいことを意味するので画面が明るく見える。一方、コントラストが高いと、薄い濃度のピクセルが周りの光にかき消され見えにくくなる。したがって、薄い濃度のピクセルを見やすくするには、コントラストを下げればよい。このため、コントラスト値Ｂはコントラスト値Ａよりも小さい値になる場合が多い。しかしながら、コントラスト値Ａをユーザが小さく設定することも可能であるし、コントラスト値Ｂは調整値なので、必ず、「コントラスト値Ｂ＜コントラスト値Ａ」となるとは限らない。
【０１４１】
電子黒板２にサブウィンドウ４０１が表示された場合に（階調が少ない色空間で表示された場合）、背景生成部３４がコントラスト値Ｂに切り替えることで、サブウィンドウ４０１が表示された場合でも、視認性が低下することを抑制できる。
【０１４２】
＜コントラスト値の切り替えの動作手順＞
図２１は、コントラスト値の切り替え手順を示すフローチャート図の一例である。図２１の手順は、モニターボタン４０２の押下により又は電子黒板の起動時にスタートする。
【０１４３】
まず、図２１の制御に使用される変数について説明する。ディスプレイ３にユーザが設定可能なコントラスト値の範囲には制限があることが一般的である。例えば、コントラスト値が０から１００の範囲を取る場合、-１００から＋１００の範囲を取る場合、又は、-５０から＋５０を取る場合などがある。本実施例ではコントラスト値が取り得る値とそうでない値を変数に設定してコントラスト値を制御する。この変数（以下、設定コントラスト値という）は、モニターボタン４０２が押下された時に、サブウィンドウ４０１が表示されていたかどうかの状態を示す。
【０１４４】
次に、本実施例のディスプレイ３は「０から１００」の範囲のコントラスト値の設定が可能であるものとする。すなわち、ディスプレイ３は負値のコントラスト値を取らない。また、電子黒板２の起動時に設定コントラスト値は初期化され、例えば−１が設定される。負値であれば−１でなくてもよい。これは、図２１にて説明するように、サブウィンドウ４０１が表示された状態で電子黒板２の再起動が行われても、サブウィンドウなしのコントラスト値Ａで画像をディスプレイ３に表示するためである。また、起動時は、コントラスト値Ａがディスプレイコントローラ１１３に設定される。
【０１４５】
図２１の手順を説明する。以下では、グリッドなどの背景画像（Ｄ）を生成する背景生成部３４が制御するものとするが、画像処理部３０のいずれかの機能が制御してもよいし、映像重畳部２８が制御してもよい。
【０１４６】
まず、背景生成部３４は設定コントラスト値が０以上か否かを判定する（Ｓ１０）。まず、設定コントラスト値が−１であると仮定して説明する。設定コントラスト値が−１であることは、現在、ディスプレイ３にサブウィンドウ４０１が表示されていないことを意味する。
【０１４７】
ステップＳ１０でＮｏと判定されると、背景生成部３４はモニターボタン４０２がＯＮされたか又はＯＮされていないかを判定する（Ｓ２０）。
【０１４８】
ＯＮされていないと判定された場合（Ｓ２０のＮｏ）、サブウィンドウ４０１が表示されないので、処理はステップＳ１０に戻る。
【０１４９】
ＯＮされたと判定された場合（Ｓ２０のＹｅｓ）、ユーザがサブウィンドウ４０１を表示するための操作を行ったので、背景生成部３４はディスプレイコントローラ１１３から現在のコントラスト値を取得する（Ｓ３０）。そして、背景生成部３４は取得したコントラスト値をコントラストテーブルのコントラスト値Ａとして待避しておく。
【０１５０】
次に、背景生成部３４はコントラストテーブルからコントラスト値Ｂを読み出し、ディスプレイコントローラ１１３に設定する（Ｓ４０）。これにより、サブウィンドウ４０１がディスプレイ３に表示されても視認性が低下することを抑制できる。
【０１５１】
また、制御のため、背景生成部３４はステップＳ３０で取得したコントラスト値を設定コントラスト値に設定する（Ｓ５０）。本実施例の場合、設定コントラスト値は必ず正値になる。したがって、設定コントラスト値に設定されるのはステップＳ３０で取得したコントラスト値でなくても、正値であればよい。
【０１５２】
処理はステップＳ１０に戻るので、再度、ステップＳ１０から説明する。設定コントラスト値に正値が設定されると、ステップＳ１０ではＹｅｓと判定される。
【０１５３】
次に、背景生成部３４はモニターボタン４０２がＯＦＦされたか又はＯＦＦされていないかを判定する（Ｓ６０）。
【０１５４】
ＯＦＦされていないと判定された場合（Ｓ６０のＮｏ）、サブウィンドウ４０１が表示されたまま、処理はステップＳ１０に戻る。すなわち、引き続きコントラスト値Ｂでサブウィンドウ４０１が表示される。
【０１５５】
ＯＦＦされたと判定された場合（Ｓ６０のＹｅｓ）、ユーザがサブウィンドウ４０１を非表示にするための操作を行ったので、背景生成部３４はコントラストテーブルからコントラスト値Ａを読み出し、ディスプレイコントローラ１１３に設定する（Ｓ７０）。これにより、ユーザが設定したコントラスト値Ａでディスプレイ３が表示される。
【０１５６】
次に、制御のため、背景生成部３４は設定コントラスト値に−１を設定する（Ｓ８０）。この後、処理はステップＳ１０に戻り、設定コントラスト値が負値なので、ステップＳ１０〜Ｓ５０が実行される。以降はこの繰り返しである。
【０１５７】
このように、本実施例の電子黒板は、サブウィンドウ４０１が表示されるか否かに応じてコントラスト値を切り替えることで、ガイド線、グリッド線、短い線分又は小さい点等が見えにくくなることを抑制できる。
【０１５８】
なお、本実施例では、コントラスト値Ｂが予めコントラストテーブルに設定されていると説明したが、背景生成部３４がコントラスト値Ｂを算出してもよい。例えば、コントラスト値Ａよりも小さい値に設定する。コントラスト値ＡのＭ％の値を算出することで、コントラストを低下させることができる。Ｍは例えば９０〜８０などであるが、適切な値は定められているものとする。あるいは、輝度値に応じて背景生成部３４がＭを変更してもよい。輝度値が高いほどサブウィンドウ４０１の表示時にグリッド線などが見にくくなるおそれがあるので、背景生成部３４は輝度値が高いほど小さいＭを用いてコントラスト値Ｂを算出する。
【０１５９】
なお、本実施例では、主に背景画像（Ｄ）の視認性について説明したが、色空間が変わった場合にディスプレイ３のコントラストが変更されるので、ＵＩ画像（Ａ）、ストローク画像（Ｂ）、及び、出力画像（Ｃ）の視認性の低下も抑制される。したがって、ＵＩ画像（Ａ）、ストローク画像（Ｂ）、及び、出力画像（Ｃ）に、仮にガイド線、グリッド線、短い線分又は小さい点等が表示されてもユーザが見やすい状態で表示できる。
【実施例２】
【０１６０】
本実施例では、背景画像（Ｄ）の濃度を濃くすることでサブウィンドウ４０１が表示される際の視認性の低下を抑制する電子黒板２について説明する。線や点の濃度を濃くすることは表示態様の変更の一例である。
【０１６１】
図２２は、本実施例の電子黒板の機能ブロック図の一例である。なお、本明細書において、同一の符号を付した構成要素については、同様の機能を果たすので、一度説明した構成要素の説明を省略あるいは相違点についてのみ説明する場合がある。
【０１６２】
本実施例の電子黒板は、背景生成部３４が濃度値記憶部３４ｂを有している。濃度値記憶部３４ｂには、以下のような濃度テーブルが記憶されている。
【０１６３】
【表２】
2016208394.tif 000004
濃度テーブルにはサブウィンドウ４０１の有無に対応づけて濃度値が登録されている。サブウィンドウなしに対応づけられている濃度値ＡはＹＵＶ４４４の色空間で背景画像が表示される際の濃度値である（第一値の一例）。濃度値Ｂは、ＹＵＶ４２２の色空間で背景画像が表示される際の濃度値である（第二値の一例）。濃度値Ａ，Ｂは電子黒板２の出荷時に予め設定されている初期値又はユーザが適切であると判断して設定した値である。
【０１６４】
濃度値Ｂは、ＹＵＶ４２２の色空間において薄い色で描画されたグリッド線や小さい点を見やすい状態で表示するための濃度値である。例えば、背景画像（Ｄ）のグリッド線が灰色である場合を例にして説明する。濃度値ＡがＲＧＢ（１２８，１２８，１２８）であるとすると、濃度値ＢはＲＧＢ（１００，１００，１００）などの値を有する。すなわち、灰色のまま灰色が濃くなる。
【０１６５】
電子黒板２にサブウィンドウ４０１が表示された場合に（ＹＵＶ４２２の色空間で表示された場合）、背景生成部３４が濃度値Ｂに切り替えることで、サブウィンドウ４０１が表示された場合でも、視認性が低下することを抑制できる。
【０１６６】
＜濃度値の切り替えの動作手順＞
図２３は、濃度値の切り替え手順を示すフローチャート図の一例である。図２３においては図２１と異なるステップについて主に説明する。本実施例では、設定濃度値を変数とする。設定濃度値に−１又は正値が設定される点は実施例１と同様である。
【０１６７】
まず、背景生成部３４は設定濃度値が０以上か否かを判定する（Ｓ１０）。設定濃度値が−１であると仮定して説明する。
【０１６８】
ステップＳ１０でＮｏと判定されると、背景生成部３４はモニターボタン４０２がＯＮされたか又はＯＮされていないかを判定する（Ｓ２０）。
【０１６９】
ＯＮされたと判定された場合（Ｓ２０のＹｅｓ）、背景生成部３４は濃度値テーブルから濃度値Ｂを読み出し、背景画像（Ｄ）を生成する（Ｓ４０）。これにより、サブウィンドウ４０１がディスプレイ３に表示されても薄い色で描画されたグリッド線や小さい点を濃く表示することができる。
【０１７０】
また、制御のため、背景生成部３４は設定濃度値に正値を設定する（Ｓ５０）。濃度値Ａを設定してもよい。
【０１７１】
処理はステップＳ１０に戻るので、再度、ステップＳ１０から説明する。設定濃度値に正値が設定されると、ステップＳ１０ではＹｅｓと判定される。
【０１７２】
次に、背景生成部３４はモニターボタン４０２がＯＦＦされたか又はＯＦＦされていないかを判定する（Ｓ６０）。
【０１７３】
ＯＦＦされていないと判定された場合（Ｓ６０のＮｏ）、サブウィンドウ４０１が表示されたまま、処理はステップＳ１０に戻る。すなわち、引き続き背景画像（Ｄ）は濃度値Ｂで描画され、サブウィンドウ４０１が表示される。
【０１７４】
ＯＦＦされたと判定された場合（Ｓ６０のＹｅｓ）、背景生成部３４は濃度値テーブルから濃度値Ａを読み出し、背景画像（Ｄ）を生成する（Ｓ７０）。
【０１７５】
次に、制御のため、背景生成部３４は設定濃度値に−１を設定する（Ｓ８０）。この後、処理はステップＳ１０に戻り、設定濃度値が負値なので、ステップＳ１０〜Ｓ５０が実行される。以降はこの繰り返しである。
【０１７６】
このように、本実施例の電子黒板は、サブウィンドウ４０１が表示されるか否かに応じて背景画像（Ｄ）の濃度値を切り替えることで、ガイド線、グリッド線、短い線分又は小さい点等が見えにくくなることを抑制できる。
【０１７７】
なお、本実施例では、背景画像（Ｄ）の視認性について説明したが、ＵＩ画像生成部３３が生成するＵＩ画像（Ａ）についても薄い色で描画されるメニューなどを濃く表示すればよい。ストローク画像（Ｂ）については、視認性が十分な色かつ太さの線でストロークが描画されるため、サブウィンドウ４０１が表示される際に視認性が低下するおそれは少ない。仮に、視認性が低下する場合、ストローク処理部３２がストロークの色を濃くすることができる。出力画像（Ｃ）については例えばノートＰＣ６が送信するので、ノートＰＣ６に対し濃度の増加を要求する（コントラストの低下を要求してもよい）。これにより、出力画像（Ｃ）にガイド線、グリッド線、短い線分又は小さい点等が存在しても、見やすい状態で表示することができる。
【０１７８】
また、本実施例では、サブウィンドウ４０１が表示される場合に、同じ灰色のまま濃くしたが、背景生成部３４は背景画像（Ｄ）の色を変えてもよい。例えば、背景画像（Ｄ）において白地に灰色でグリッド線等が描画されている場合、Ｒ（赤）やＢ（青）の値を大きくすることで、グリッド線等が見やすくなる。したがって、ＲＧＢの比率を変えて色を変更することも有効である。ＵＩ画像（Ａ）、ストローク画像（Ｂ）出力画像（Ｃ）についても同様に処理できる。
【０１７９】
また、背景生成部３４は背景画像（Ｄ）に描画される線などを太くしてもよい。同じ濃度又は色でも線が太くなることでグリッド線等が見やすくなる。ＵＩ画像（Ａ）、ストローク画像（Ｂ）出力画像（Ｃ）についても同様に処理できる。
【０１８０】
また、サブウィンドウ４０１が表示される場合に、背景画像（Ｄ）の濃さ、色及び太さの１つ以上を組み合わせて変更してもよい。また、実施例１で説明したコントラストの変更と組み合わせて、濃さ、色及び太さの１つ以上を変更してもよい。
【０１８１】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０１８２】
本実施形態では、ディスプレイコントローラ１１３のメモリ容量の低下により色空間が変更されると説明したが、ディスプレイコントローラ１１３以外のメモリ容量の低下により色空間が変更される場合にも本実施形態を適用できる。また、ディスプレイコントローラ１１３はＬＣＤコントローラなどと呼ばれていてもよく、呼称は問われない。
【０１８３】
また、本実施形態では、ディスプレイ３の色空間としてＹＵＶ４４４とＹＵＶ４２２を例にして説明したが、ディスプレイ３の色空間はこれらに限られない。例えば、ＹＵＶ４４４からＹＵＶ４２０又はＹＵＶ４１１へ変更されてもよい。また、ＹＵＶ４２２からＹＵＶ４２０又はＹＵＶ４１１へ変更されてもよい。すなわち、ＹＵＶ４４４、ＹＵＶ４２２、ＹＵＶ４２０又はＹＵＶ４１１のうち、相対的に画像の情報欠落が生じる２つの色空間に対し適用できる。
【０１８４】
また、ディスプレイの色空間としてＹＵＶでなく、ＹＣｂＣｒが採用されていてもよい。また、映像重畳部２８がＲＧＢをＹＵＶに変換することなく、ＲＧＢ信号をディスプレイ３に送信する場合、ＲＧＢ系の色空間が用いられてよい。
【符号の説明】
【０１８５】
１        画像処理システム
２        電子黒板
３        ディスプレイ
４        電子ペン
６        ノートＰＣ
７        テレビ会議端末
９        通信ネットワーク
２８      映像重畳部
３０      画像処理部
３２      ストローク処理部
３３      ＵＩ画像生成部
３４      背景生成部
３４ａ    コントラスト値記憶部
３４ｂ    濃度値記憶部
４０１    サブウィンドウ
４０２    モニターボタン
【先行技術文献】
【特許文献】
【０１８６】
【特許文献１】特開２００８‐２８７１９８号公報
【図１】
2016208394.tif 000005
【図２】
2016208394.tif 000006
【図３】
2016208394.tif 000007
【図４】
2016208394.tif 000008
【図５】
2016208394.tif 000009
【図６】
2016208394.tif 000010
【図７】
2016208394.tif 000011
【図８】
2016208394.tif 000012
【図９】
2016208394.tif 000013
【図１０】
2016208394.tif 000014
【図１１】
2016208394.tif 000015
【図１２】
2016208394.tif 000016
【図１３】
2016208394.tif 000017
【図１４】
2016208394.tif 000018
【図１５】
2016208394.tif 000019
【図１６】
2016208394.tif 000020
【図１７】
2016208394.tif 000021
【図１８】
2016208394.tif 000022
【図１９】
2016208394.tif 000023
【図２０】
2016208394.tif 000024
【図２１】
2016208394.tif 000025
【図２２】
2016208394.tif 000026
【図２３】
2016208394.tif 000027